(57)【要約】【課題】本発明の目的は、トリガ条件がほとんど成立しないような場合にも、波形更新レートが短く、また、トリガ条件の成立がオートトリガタイマのタイムアウトよりも僅かに大きい程度の間隔で周期的に続く場合にも、トリガがかからなくなることのないオシロスコープを実現することにある。【解決手段】本発明は、アナログ信号をデジタルデータに変換して出力するＡＤ変換器と、  前記アナログ信号が予め定められたトリガ成立条件に合致したときにトリガ信号を出力するトリガ回路と、前記トリガ信号が入力されたときには前記トリガ信号の入力タイミングに基づくタイミングで前記デジタルデータを第一のメモリに取り込み、前記トリガ信号が入力されない期間には前記デジタルデータを第二のメモリに繰り返し取り込むアクイジションコントローラと、前記第一のメモリおよび前記第二のメモリに取り込まれた前記デジタルデータを表示する表示手段と、を備えることを特徴とする。【選択図】図１
2011185823.tif 000002
【特許請求の範囲】
【請求項１】
アナログ信号をデジタルデータに変換して出力するＡＤ変換器と、
前記アナログ信号が予め定められたトリガ成立条件に合致したときにトリガ信号を出力するトリガ回路と、
前記トリガ信号が入力されたときには前記トリガ信号の入力タイミングに基づくタイミングで前記デジタルデータを第一のメモリに取り込み、前記トリガ信号が入力されない期間には前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とするオシロスコープ。
【請求項２】
アナログ信号をデジタルデータに変換して出力するＡＤ変換器と、
前記アナログ信号が予め定められたトリガ成立条件に合致したときにトリガ信号を出力するトリガ回路と、
前記トリガ信号が入力されたときには前記トリガ信号入力タイミングの前後一定期間の前記デジタルデータを第一のメモリに取り込み、前記トリガ信号が入力されない期間には前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とするオシロスコープ。
【請求項３】
アナログ信号をデジタルデータに変換して出力するＡＤ変換器と、
アナログ信号が予め定められたトリガ成立条件に合致したときにトリガ信号を出力するトリガ回路と、
前記トリガ信号の出力間隔を計測するタイマと、
前記トリガ信号が入力されたときには前記トリガ信号入力タイミングの前後一定期間の前記デジタルデータを第一のメモリに取り込み、前記タイマによって計測された前記トリガ信号の出力の間隔が一定時間を超えた場合には、前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とするオシロスコープ。
【請求項４】
前記アクイジションコントローラは、第一のメモリまたは第二のメモリに取り込むデジタルデータを、第三のメモリにも順次取り込んで蓄積し、
前記表示手段は、前記第一のメモリおよび第二のメモリに取り込まれた前記デジタルデータを表示するとともに、前記第三のメモリに蓄積された前記デジタルデータを必要に応じて選択的に表示することを特徴とする請求項１〜３のいずれかに記載のオシロスコープ。
【請求項５】
前記アクイジションコントローラは、第一のメモリおよび第二のメモリに取り込むデジタルデータを、第三のメモリにも順次取り込んで蓄積し、
前記表示手段は、前記第一のメモリおよび第二のメモリに取り込まれた前記デジタルデータを表示するとともに、前記第三のメモリに蓄積された前記デジタルデータを必要に応じて選択的に表示することを特徴とする請求項１〜３のいずれかに記載のオシロスコープ。
【発明の詳細な説明】
【技術分野】
【０００１】
本発明は、入力されるアナログ信号を測定して表示画面に波形表示するオシロスコープに関し、さらに詳しくは、一定期間トリガ条件が成立しないときにも、自動的に波形表示を更新するオートトリガ機能を有するオシロスコープに関する。
【背景技術】
【０００２】
従来のオシロスコープの構成を、図面を用いて説明する。図３は従来のオシロスコープの例を示した構成図で、主としてフロントエンド１、ＡＤ変換器（ＡＤＣ）２、トリガ回路３、オートトリガタイマ４、アクイジションコントローラ５、アクイジションメモリ６を備える。
【０００３】
図３において、フロントエンド１は、アッテネータやアンプ等から構成され、外部からアナログ信号を入力し、所定の振幅に増幅して出力する。
ＡＤ変換器２は、フロントエンド１から出力されるアナログ信号を入力し、アナログデジタル変換して、デジタルデータを出力する。
トリガ回路３は、フロントエンド１から出力されるアナログ信号と、アクイジションコントローラ５が出力するトリガイネーブル信号と、オートトリガタイマ４からのオートトリガイネーブル信号とを入力し、それぞれの信号が所定の条件に合致した場合に、トリガ信号およびトリガ条件成立信号を出力する。
オートトリガタイマ４は、タイマ等により構成され、トリガ回路３が出力するトリガ条件成立信号およびトリガ信号と、アクイジションコントローラ５が出力するアクイジションスタート信号を入力し、それらの信号に関連したタイミングで自身のタイマをスタートまたは停止する。また、オートトリガタイマ４は、オートトリガイネーブル信号を出力する。
アクイジションコントローラ５は、トリガ回路３から出力されるトリガ信号に関連するタイミング等により、ＡＤ変換器２が出力するデジタルデータの、メモリ等で構成されるアクイジションメモリ６への格納（アクイジション）を制御する。
図示しない表示手段は、アクイジションメモリ６に格納されるデジタルデータ（トリガ信号を基準としてその前後一定期間のデジタルデータ）をアクイジションコントローラ５を介して取得し、画面等に表示する。
【０００４】
このような従来のオシロスコープにおける、特にオートトリガ機能の動作を、図面を用いて詳細に説明する。
オートトリガ機能には主として、以下の２種、
（１）アクイジションの開始タイミングでタイマ起動しオートトリガ機能を実現する場合と、
（２）トリガ条件の成立でタイマ起動しオートトリガ機能を実現する場合、
とがある。
これらを、それぞれの図４と図５を追加して用い、詳細に説明する。
図４は図３に示す装置が「（１）アクイジションの開始タイミングでタイマ起動しオートトリガ機能を実現する場合」のタイミングチャートである。
図５は図３に示す装置が「（２）トリガ条件の成立でタイマ起動しオートトリガ機能を実現する場合」のタイミングチャートである。
図４と図５ともに、上段から、トリガ信号、アクイジションメモリ６へのアクイジション状態、トリガイネーブル信号、オートトリガイネーブル信号、オートトリガタイマ４のタイマの状態、トリガ条件成立信号、を示している。
トリガイネーブル信号およびオートトリガイネーブル信号については、正論理（ハイレベルをアサート、ローレベルをネゲート）にて示す。トリガ信号およびトリガ条件成立信号については、それぞれの入力タイミングを矢印で示す。
また、フロントエンド１は定常的に外部からアナログ電気信号を入力し、ＡＤ変換器２はフロントエンド１の出力を入力しアナログデジタル変換して、アクイジションコントローラ５へ出力しているものとし、初期状態（Ｔ０）では、トリガイネーブル信号およびオートトリガイネーブル信号は双方ともネゲートされている。
【０００５】
（１）アクイジションの開始タイミングでタイマ起動しオートトリガ機能を実現する場合
（Ｔ１）
図４において、アクイジションコントローラ５は、アクイジションメモリ６へのデジタルデータのアクイジションを開始するとともに、オートトリガタイマ４にアクイジションスタート信号を出力する。
オートトリガタイマ４は、アクイジションスタート信号を入力すると自身のタイマをスタートする。
（Ｔ２）
トリガ回路３は、トリガイネーブル信号がネゲート状態で、アナログ信号にトリガ条件が成立した場合、トリガ条件成立信号のみ出力する。
（Ｔ３）
アクイジションコントローラ５は、アクイジションを開始してから一定期間（プレトリガ期間、図４において「Ｐｒｅ」と示される区間）経過すると、アクイジションを継続しつつ、トリガイネーブル信号をアサートする。
（Ｔ４）
トリガ回路３は、トリガイネーブル信号がアサート状態のときに、アナログ信号にトリガ条件が成立すると、トリガ条件成立信号を出力するとともに、トリガ信号を出力する。
アクイジションコントローラ５は、トリガイネーブル信号をネゲートし、ポストトリガ期間のアクイジションを継続する。
オートトリガタイマ４は、トリガ回路３からのトリガ信号を入力すると、タイマをクリアし停止させる。
（Ｔ５）
アクイジションコントローラ５は、一定期間（ポストトリガ期間、図４において「Ｐｏｓｔ」と示される区間）終了後、アクイジションメモリ６へのアクイジションを停止する。
図示しない表示手段は、アクイジション停止後、アクイジションコントローラ５を介して、アクイジションメモリ６に格納されている、トリガ信号を基準としてその前後一定期間（プレトリガ期間分とポストトリガ期間分）のデジタルデータを取得して、画面等に表示する。
（Ｔ６）
アクイジションコントローラ５は、再度プレトリガ期間のアクイジションを開始するとともに、アクイジションスタート信号を出力する。
オートトリガタイマ４は、このアクイジションスタート信号により自身のタイマを起動する。
トリガ回路３は、入力されるアナログ信号にトリガ条件が成立しても、トリガイネーブル信号がネゲート状態であるので、トリガ条件成立信号のみ出力する。
（Ｔ７）
アクイジションコントローラ５は、プレトリガ期間が終了すると、アクイジションを継続しつつ、トリガイネーブル信号をアサートする。
（Ｔ８）
オートトリガタイマ４は、自身のタイマがタイムアウトとなると、オートトリガイネーブル信号をアサートし、直後にネゲートする。
トリガ回路３は、トリガイネーブル信号がアサートされた状態で、オートトリガイネーブル信号がアサートされるとトリガ信号を出力する。
アクイジションコントローラ５は、トリガ信号が入力されると、トリガイネーブル信号をネゲートし、ポストトリガ期間のアクイジションを開始する。
（Ｔ９）
アクイジションコントローラ５は、ポストトリガ期間が終了するとアクイジションを終了する。
図示しない表示手段は、アクイジション停止後、アクイジションコントローラ５を介して、アクイジションメモリ６に格納されている、トリガ信号を基準としてその前後一定期間（プレトリガ期間分とポストトリガ期間分）のデジタルデータを取得して、画面等に表示する。
以降、このような動作を繰り返す。
（Ｔ１０）
トリガ回路３は、アナログ信号にトリガ条件が成立すると、トリガイネーブル信号がアサート状態であるので、トリガ条件成立信号とともに、トリガ信号を出力する。
オートトリガタイマ４は、トリガ回路３からのトリガ信号を入力すると、タイマをクリアし停止させる。
アクイジションコントローラ５は、トリガイネーブル信号をネゲートし、一定時間（ポストトリガ期間）、デジタルデータのアクイジションメモリ６へのアクイジションを行うい、「Ｔ４」と同様の状態に戻る。
以降、このような動作を繰り返す。
【０００６】
このように、入力されるアナログ信号にトリガ条件が成立する場合には、トリガ条件成立のタイミングをトリガとして波形を取得および表示し、また、トリガ条件が成立しない（トリガがかからない）期間が長い場合にも一定周期（オートトリガタイマ４のタイムアウト時間に関連する周期）で波形の更新を行う。
【０００７】
（２）トリガ条件の成立でタイマ起動しオートトリガ機能を実現する場合
（Ｔ２１）
図５において、トリガ回路３は、トリガイネーブル信号がネゲート状態で、アナログ信号にトリガ条件が成立した場合、トリガ条件成立信号のみ出力する。
オートトリガタイマ４は、トリガ回路３から入力されるトリガ条件成立信号のタイミングで自身のタイマを起動する。
（Ｔ２２）
アクイジションコントローラ５は、デジタルデータのアクイジションメモリ６へのアクイジションを開始する。
（Ｔ２３）
アクイジションコントローラ５は、アクイジションを開始してからプレトリガ期間が経過すると、アクイジションメモリ６へのアクイジションを継続しつつ、トリガイネーブル信号をアサートする。
（Ｔ２４）
トリガ回路３は、トリガイネーブル信号がアサート状態で、アナログ信号にトリガ条件が成立すると、トリガ条件成立信号を出力するとともに、トリガ信号を出力する。
アクイジションコントローラ５は、トリガ信号を入力すると、アクイジションメモリ６へのポストトリガ期間のアクイジションを開始し、トリガイネーブル信号をネゲートする。
オートトリガタイマ４は、トリガ条件成立信号により、自身のタイマをリスタート（再起動）する。
（Ｔ２５）
アクイジションコントローラ５は、ポストトリガ期間が終了すると、アクイジションメモリ６へのアクイジションを停止する。
図示しない表示手段は、アクイジション停止後、アクイジションコントローラ５を介して、アクイジションメモリ６に格納されている、トリガ信号を基準としてその前後一定期間（プレトリガ期間分とポストトリガ期間分）のデジタルデータを取得して、画面等に表示する。
（Ｔ２６）
アクイジションコントローラ５は、再度プレトリガ期間のアクイジションを開始する。
（Ｔ２７）
トリガ回路３は、トリガイネーブル信号がネゲート状態で、アナログ信号にトリガ条件が成立すると、トリガ条件成立信号のみを出力する。
オートトリガタイマ４は、トリガ条件成立信号により、自身のタイマをリスタートする。
（Ｔ２８）
アクイジションコントローラ５は、プレトリガ期間が終了すると、アクイジションを継続しつつ、トリガイネーブル信号をアサートする。
（Ｔ２９）
オートトリガタイマ４は、自身のタイマがタイムアウトとなったときに、タイマをクリアし、オートトリガイネーブル信号をアサートする。
トリガ回路３は、トリガイネーブルがアサート状態で、オートトリガイネーブル信号がアサートされたときには、トリガ信号を出力する。
アクイジションコントローラ５は、トリガ信号が入力されると、トリガイネーブル信号をネゲートし、ポストトリガ期間のアクイジションを開始する。
（Ｔ３０）
アクイジションコントローラ５は、ポストトリガ期間が終了すると、アクイジションを停止する。
図示しない表示手段は、アクイジションコントローラ５を介して、アクイジションメモリ６に格納されているデジタルデータを取得して、画面表示する。
（Ｔ３１）
アクイジションコントローラ５は、再度プレトリガ期間のアクイジションを開始する。
（Ｔ３２）
アクイジションコントローラ５は、プレトリガ期間後トリガイネーブル信号をアサートする。
トリガ回路３は、トリガイネーブルがアサート状態で、オートトリガイネーブル信号がアサートされたときには、トリガ信号を出力する。
アクイジションコントローラ５は、トリガ信号が入力されると、トリガイネーブル信号をネゲートし、ポストトリガ期間のアクイジションを開始する。
（Ｔ３３）
アクイジションコントローラ５は、ポストトリガ期間が終了すると、アクイジションを停止する。
図示しない表示手段は、アクイジションコントローラ５を介して、アクイジションメモリ６に格納されているデジタルデータを取得して、画面表示する。
以降、このような動作を繰り返す。
（Ｔ３４）
トリガ回路３は、トリガイネーブル信号がネゲート状態で、アナログ信号にトリガ条件が成立した場合、トリガ条件成立信号のみを出力する。
オートトリガタイマ４は、トリガ条件成立信号が入力されると、そのタイミングで、オートトリガイネーブル信号をネゲートするとともに、自身のタイマをスタートし、「Ｔ２１」と同様の状態に戻る。
以降、このような動作を繰り返す。
【０００８】
このように、入力されるアナログ信号にトリガ条件が成立する場合には、トリガ条件成立のタイミングをトリガとして波形を取得及び表示し、また、トリガ条件が成立しない（トリガがかからない）期間が長い場合にもオートトリガタイマのタイムアウト後には、早い周期（「Ｔ３０〜Ｔ３３」）で波形の更新を行う。
【０００９】
特許文献１には、アナログ入力信号を測定して表示画面に波形表示するオシロスコープの構成が詳細に記載されている。
【先行技術文献】
【特許文献】
【００１０】
【特許文献１】特開平５−２７３２４７号公報
【発明の概要】
【発明が解決しようとする課題】
【００１１】
しかしながらこのような従来のオシロスコープでは、以下のような課題があった。
まず、「（１）アクイジションの開始タイミングでタイマ起動しオートトリガ機能を実現する場合」においては、トリガ条件がほとんど成立しないような期間には、表示手段による波形表示の更新レートは上記のようにオートトリガタイマ４のタイムアウト時間と同等またはそれ以上となるため、波形表示の更新レートは比較的遅くなり波形観測者のストレスとなる。例えば、オートトリガタイマ４に、１００ｍｓでタイムアウトとなるタイマを使用した場合には、１０Ｈｚ程度またはそれ以上の波形更新レートとなる。
一方「（２）トリガ条件の成立でタイマ起動しオートトリガ機能を実現する場合」においては、トリガ条件がほとんど成立しないような期間には、波形の更新時間は短いものの、トリガ条件の成立がオートトリガタイマ４のタイムアウト時間よりも僅かに大きい程度の間隔（例えば、図５の周期Ｐ１）で続く場合には、トリガ条件成立タイミングが常にトリガイネーブル信号ネゲート状態となる動作を繰り返すため、トリガ条件成立によるトリガ信号が発生しなくなる（いわゆるトリガがかからない状態となる）。
【００１２】
そこで本発明の目的は、トリガ条件がほとんど成立しないような場合にも、波形更新レートが早く、また、トリガ条件の成立がオートトリガタイマのタイムアウトよりも僅かに大きい程度の間隔で周期的に続く場合にも、トリガがかからなくなることのないオシロスコープを実現することにある。
【課題を解決するための手段】
【００１３】
このような課題を解決するために、本発明のうち請求項１記載の発明は、
アナログ信号をデジタルデータに変換して出力するＡＤ変換器と、
前記アナログ信号が予め定められたトリガ成立条件に合致したときにトリガ信号を出力するトリガ回路と、
前記トリガ信号が入力されたときには前記トリガ信号の入力タイミングに基づくタイミングで前記デジタルデータを第一のメモリに取り込み、前記トリガ信号が入力されない期間には前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とする。
【００１４】
請求項２記載の発明は、
アナログ信号をデジタルデータに変換して出力するＡＤ変換器と、
前記アナログ信号が予め定められたトリガ成立条件に合致したときにトリガ信号を出力するトリガ回路と、
前記トリガ信号が入力されたときには前記トリガ信号入力タイミングの前後一定期間の前記デジタルデータを第一のメモリに取り込み、前記トリガ信号が入力されない期間には前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とする。
【００１５】
請求項３記載の発明は、
アナログ信号をデジタルデータに変換して出力するＡＤ変換器と、
アナログ信号が予め定められたトリガ成立条件に合致したときにトリガ信号を出力するトリガ回路と、
前記トリガ信号の出力間隔を計測するタイマと、
前記トリガ信号が入力されたときには前記トリガ信号入力タイミングの前後一定期間の前記デジタルデータを第一のメモリに取り込み、前記タイマによって計測された前記トリガ信号の出力の間隔が一定時間を超えた場合には、前記デジタルデータを第二のメモリに繰り返し取り込むアクイジションコントローラと、
前記第一のメモリおよび前記第二のメモリに取り込まれた前記デジタルデータを表示する表示手段と、
を備えることを特徴とする。
【００１６】
請求項４記載の発明は、請求項１〜３のいずれかに記載の発明であって、
前記アクイジションコントローラは、第一のメモリまたは第二のメモリに取り込むデジタルデータを、第三のメモリにも順次取り込んで蓄積し、
前記表示手段は、前記第一のメモリおよび第二のメモリに取り込まれた前記デジタルデータを表示するとともに、前記第三のメモリに蓄積された前記デジタルデータを必要に応じて選択的に表示することを特徴とする。
【００１７】
請求項５記載の発明は、請求項１〜３のいずれかに記載の発明であって、
前記アクイジションコントローラは、第一のメモリおよび第二のメモリに取り込むデジタルデータを、第三のメモリにも順次取り込んで蓄積し、
前記表示手段は、前記第一のメモリおよび第二のメモリに取り込まれた前記デジタルデータを表示するとともに、前記第三のメモリに蓄積された前記デジタルデータを必要に応じて選択的に表示することを特徴とする。
【発明の効果】
【００１８】
本発明によれば、ＡＤ変換器がアナログ信号をデジタルデータに変換して出力し、トリガ回路がアナログ信号が予め定められたトリガ成立条件に合致したときにトリガ信号を出力し、タイマが前記トリガ信号の出力間隔を計測し、アクイジションコントローラが、トリガ回路からトリガ信号が入力したときにはトリガ信号入力タイミングの前後一定期間のデジタルデータを第一のメモリに取り込み、タイマによって計測されたトリガ信号の出力の間隔が一定時間を超えた場合には、デジタルデータを第二のメモリに繰り返し取り込み、図示しない表示手段が、第一および第二のメモリに取り込まれたデジタルデータを表示するので、トリガ条件がほとんど成立しないような場合にも、波形更新レートが早く、また、トリガ条件の成立がオートトリガタイマのタイムアウトよりも僅かに大きい程度の間隔で周期的に続く場合にも、トリガがかからなくなることのないオシロスコープを実現できる。
【図面の簡単な説明】
【００１９】
【図１】本発明の一実施例の構成図である。
【図２】図１に示す装置においてオートトリガ機能を実現するタイミングチャートである。
【図３】従来のオシロスコープの構成例を示した図である。
【図４】図３に示す装置において「（１）アクイジションの開始タイミングでタイマ起動しオートトリガ機能を実現する場合」のタイミングチャートである。
【図５】図３に示す装置において「（２）トリガ条件の成立でタイマ起動しオートトリガ機能を実現する場合」のタイミングチャートである。
【発明を実施するための形態】
【００２０】
以下本発明を、図面を用いて詳細に説明する。
図１は本発明の一実施例を示した構成図であり、フロントエンド１、ＡＤ変換器（ＡＤＣ）２、トリガ回路７、オートトリガタイマ８、アクイジションコントローラ９、アクイジションメモリ６、オートトリガ用メモリ１０と、を含む。ここで、図３と同一のものは、同一符号を付して説明を省略する。
【００２１】
図１において、トリガ回路７は、フロントエンド１から出力されるアナログ信号と、アクイジションコントローラ９から出力されるトリガイネーブル信号を入力し、アナログ信号が所定のトリガ条件を満たす場合にトリガ条件成立信号を出力するとともに、入力するトリガイネーブル信号がアサート状態かつ、アナログ信号が所定のトリガ条件を満たす場合には、トリガ条件成立信号とともにトリガ信号を出力する。
オートトリガタイマ８は、トリガ回路７が出力するトリガ条件成立信号およびトリガ信号を入力し、それらの信号に関連したタイミングで自身のタイマをスタートまたは停止する。また、オートトリガタイマ８は、自身のタイマのタイムアウト時にはオートトリガイネーブル信号をアサートする。そして、自身が出力するオートトリガイネーブル信号がアサート状態のとき、トリガ信号が入力されるとオートトリガイネーブル信号をネゲートする。
アクイジションコントローラ９は、トリガ回路７から出力されるトリガ信号と、オートトリガタイマ８から出力されるオートトリガイネーブル信号を入力し、これらの信号に関連するタイミング等により、ＡＤ変換器２の出力であるデジタルデータの、アクイジションメモリ６およびオートトリガ用メモリ１０へのアクイジションを制御する。
また、アクイジションコントローラ９は、トリガ信号を受け付け可能か否かにより、受け付け可能であればトリガイネーブル信号をアサートし、それ以外の場合はネゲートする。
図示しない表示手段は、アクイジションメモリ６またはオートトリガ用メモリ１０に格納されているデジタルデータ（トリガ信号を基準としてその前後一定期間（すなわちプレトリガ期間分とポストトリガ期間分のデジタルデータ）をアクイジションコントローラ５を介して取得し、画面等に表示する。
【００２２】
このようなオシロスコープの動作を、図１に加え、図２も用いて詳細に説明する。図２は、図１に示す装置でオートトリガ機能を実現するタイミングチャートである。
図２において、上段から、トリガ信号、アクイジションメモリ６へのアクイジション状態、トリガイネーブル信号、オートトリガ用メモリ１０へのアクイジション状態、オートトリガイネーブル信号、オートトリガタイマ８のタイマの状態、トリガ条件成立信号を示している。
Ｔ０からＴ４８の期間は、図５のＴ０からＴ２８の期間と同様の動作であるので説明を省略する。
【００２３】
（Ｔ４９）
オートトリガタイマ８は、自身のタイマがタイムアウトするとオートトリガイネーブル信号をアサートする。
アクイジションコントローラ９は、オートトリガイネーブル信号がアサートされると、オートトリガ用メモリ１０にアクイジションを開始する。
（Ｔ５０〜Ｔ５１）
アクイジションコントローラ９は、プレトリガ期間およびポストトリガ期間に渡って、オートトリガ用メモリ１０にデジタルデータをアクイジションする。
図示しない表示手段は、アクイジションコントローラ９がポストトリガ期間のアクイジションを終了した後、オートトリガ用メモリ１０に格納されたプレトリガ期間およびポストトリガ期間分のデジタルデータをアクイジションコントローラ９を介して取得し、画面等に表示する。
（Ｔ５２〜Ｔ５３）
アクイジションコントローラ９は、プレトリガ期間およびポストトリガ期間、オートトリガ用メモリ１０にデジタルデータをアクイジションする。
表示手段は、アクイジションコントローラ９がポストトリガ期間のアクイジションを終了後、オートトリガ用メモリ１０に格納されたプレトリガ期間およびポストトリガ期間分のデジタルデータをアクイジションコントローラ９を介して取得し、画面等に表示する。
以降、「Ｔ５２〜Ｔ５３」を繰り返す。
（Ｔ５４）
トリガ回路７は、トリガイネーブル信号がアサート状態のときに、アナログ信号にトリガ条件が成立すると、トリガ条件成立信号を出力するとともに、トリガ信号を出力する。
アクイジションコントローラ９は、トリガ信号を入力すると、オートトリガ用メモリ１０へのデジタルデータをアクイジションを停止し、アクイジションメモリ６へのポストトリガ期間のアクイジションを開始するとともに、トリガイネーブル信号をネゲートする。
オートトリガタイマ８は、トリガ条件成立信号により、自身のタイマをスタートする。
（Ｔ５５）
アクイジションコントローラ９は、ポストトリガ期間が終了すると、アクイジションメモリ６へのアクイジションを停止する。
図示しない表示手段は、アクイジション停止後、アクイジションコントローラ９を介して、アクイジションメモリ６に格納されている、トリガ信号を基準としてその前後一定期間（プレトリガ期間分とポストトリガ期間分）のデジタルデータを取得して、画面等に表示する。（これは、「Ｔ４５」と同様の状態である。）
以降、このような動作を繰り返す。
【００２４】
このように、ＡＤ変換器２がアナログ信号をデジタルデータに変換して出力し、トリガ回路７がアナログ信号が予め定められたトリガ成立条件に合致したときにトリガ信号を出力し、オートトリガタイマ８がトリガ信号の出力間隔を計測し、アクイジションコントローラ９が、トリガ回路７からトリガ信号が入力したときにはその入力タイミングの前後一定期間のデジタルデータをアクイジションメモリ６に取り込み、オートトリガタイマ８によって計測されたトリガ信号の出力の間隔が一定時間を超えた場合には、デジタルデータをオートトリガ用メモリ１０に繰り返し取り込み、図示しない表示手段が、アクイジションメモリ６およびオートトリガ用メモリ１０に取り込まれたデジタルデータを表示するするので、トリガ条件がほとんど成立しないような場合にも、波形更新レートが早く、また、トリガ条件の成立がオートトリガタイマ８のタイムアウトよりも僅かに大きい程度の間隔で周期的に続く場合にも、トリガがかからなくなることのないオシロスコープを実現できる。
【００２５】
なお、アクイジションコントローラ９が、アクイジションメモリ６またはオートトリガ用メモリ１０メモリ、若しくは、アクイジションメモリ６およびオートトリガ用メモリ１０メモリに取り込むデジタルデータを、第三のメモリにも順次取り込んで蓄積し、表示手段が第三のメモリに蓄積されたデジタルデータを必要に応じて選択的に表示する構成としてもよい。この場合、波形観測者は、トリガ条件が成立した波形等の履歴を必要に応じて取り出すことができる。
【符号の説明】
【００２６】
２  ＡＤ変換器
６  アクイジションメモリ
７  トリガ回路
８  オートトリガタイマ
９  アクイジションコントローラ
１０  オートトリガ用メモリ
【図１】
2011185823.tif 000003
【図２】
2011185823.tif 000004
【図３】
2011185823.tif 000005
【図４】
2011185823.tif 000006
【図５】
2011185823.tif 000007